(57)【要約】【課題】  従来の印刷シール販売機にあっては、例えば、日本語専用に製造されているため、外国からの観光客が該販売機に興味を示しても自国語での操作および文字が打てないため使用できないといった問題があった。【解決手段】  複数の国の選択画面が表示されたタッチパネルをタッチして、選択した国の文字、言語で印刷物を作成印刷する千社札等の印刷物販売機であって、複数の国の文字、複数の国の言語アナウンス、複数の国のコンピュータ用のキーボード等のその国における標準的な文字入力用の文字入力画面が記憶された記憶手段２ｂと、前記タッチパネルで選択された国の文字でタッチパネルで作成する書式画面を表示すると共に選択された国の言語でナレーションをアナウンスして書式画面を選択させ、文字入力画面になると選択された国の標準的な文字入力用の文字入力画面を表示し、該文字入力画面で文字にタッチして前記選択した書式画面に文字を表示して印刷することを可能とする中央処理装置２ａとから構成した千社札等の印刷物販売機である。【選択図】        図３
2010005834.tif 000002
【特許請求の範囲】
【請求項１】
複数の国の選択画面が表示されたタッチパネルをタッチして選択した国の文字、言語で印刷物を形成し印刷する千社札等の印刷物作成販売機であって、
多様な図柄を記憶した書式画面、複数の国の文字、複数の国の言語アナウンス、複数の国のコンピュータ用のキーボード等のその国における標準的な文字入力用の文字入力画面が記憶された記憶手段と、
前記タッチパネルで選択された国の文字でタッチパネル上に作成する印刷物の書式画面を表示すると共に選択された国の言語で操作ナレーションをアナウンスして書式画面を選択させ、文字入力画面になると選択された国の言語に基く標準的な文字入力用の文字入力画面を表示し、該文字入力画面で文字にタッチして前記選択した書式画面に文字を嵌めこみ一体化して表示し、印刷することを可能とする中央処理装置と、
から構成したことを特徴とする千社札等の印刷物作成販売機。
【請求項２】
前記印刷物が大きさの異なる千社札の複数枚を１枚の紙片に貼着した剥離シール式千社札であって、挿絵タイプ、短冊タイプ、頭タイプ、柄タイプ等の千社札の種類の中から１つのタイプの札を選択して大きさの異なる複数のシールを１枚の紙片に印刷することが可能であることを特徴とする請求項１記載の千社札等の印刷物作成販売機。
【請求項３】
前記各書式選択画面や文字入力画面に以前に選択あるいは入力文字の変更が可能な戻り操作が行えるようにしたことを特徴とする請求項１記載の千社札等の印刷物作成販売機。
【請求項４】
前記複数の国の言語が、日本語、中国語、台湾語、韓国語であることを特徴とする請求項１記載の千社札等の印刷物作成販売機。
【発明の詳細な説明】
【技術分野】
【０００１】
本発明は、１台の千社札等の印刷物作成販売機で多国語（例えば、日本語、中国語、台湾語、韓国語等）での対応を可能とすることで、その選択した国の言語によって操作案内を行うと共に選択した国の言語によって作成された印刷物を発行する千社札等の印刷物作成販売機に関する。
【背景技術】
【０００２】
従来における印刷物としての千社札の印刷物作成販売機は、例えば、特開２０００−２８０５６１に開示された発明がある。この発明は、例えば、千社札作成機のタッチパネルをタッチ操作して好みの背景画像を有した千社札のタイプを選択し、次いで、千社札に表示する人の氏名や頭文字をタッチパネルに表示された平仮名の文字画像にタッチして漢字に変換して千社札を画面上で作成し、その操作が終了したならプリンタで印刷して千社札を作成発行するものである。
【特許文献１】特開２０００−２８０５６１
【発明の開示】
【発明が解決しようとする課題】
【０００３】
ところで、前記した印刷シール発行装置にあっては、日本語専用に製造されているため、外国からの観光客が該販売機に興味を示しても自国語での操作および文字が打てないため使用できないといった問題があった。そこで、各国の言語に相応する印刷シール販売機を言語ごとに製造すれば前記した問題は解決できるが、何カ国もの観光客が訪れるような観光地に設置するには多種の言語対応機を設置しなければならないこととなり、設置場所も広く取らねばならず、かつ、各言語用のシール発行装置を各種備えるという点でコストが高くなってしまうといった問題があった。
【０００４】
本発明は前記した問題点を解決せんとするもので、その目的とするところは、初期画面において複数の国の言語の中から希望する国の言語を選択することで、タッチパネルには選択した国の文字で案内が表示され、また、ナレーションも選択した国の言語でアナウンスされると共に、シールに印刷するための文字入力画面を、選択した国の言語に基いてコンピュータ用のキーボード等のその国における標準的な配列の文字で表示することで、様々な国の人でも自国語によるシール等の印刷物を作成することができる千社札等の印刷物作成販売機を提供せんとするにある。
【課題を解決するための手段】
【０００５】
本発明の千社札等の印刷物作成販売機は前記した目的を達成せんとするもので、請求項１の手段は、複数の国の選択画面が表示されたタッチパネルをタッチして選択した国の文字、言語で印刷物を形成し印刷する千社札等の印刷物作成販売機であって、多様な図柄を記憶した書式画面、複数の国の文字、複数の国の言語アナウンス、複数の国のコンピュータ用のキーボード等のその国における標準的な文字入力用の文字入力画面が記憶された記憶手段と、前記タッチパネルで選択された国の文字でタッチパネル上に作成する印刷物の書式画面を表示すると共に選択された国の言語で操作ナレーションをアナウンスして書式画面を選択させ、文字入力画面になると選択された国の言語に基く標準的な文字入力用の文字入力画面を表示し、該文字入力画面で文字にタッチして前記選択した書式画面に文字を嵌めこみ一体化して表示し、印刷することを可能とする中央処理装置とから構成したことを特徴とする。
【０００６】
請求項２の手段は、前記した請求項１において、前記印刷物が大きさの異なる千社札の複数枚を１枚の紙片に貼着した剥離シール式千社札であって、挿絵タイプ、短冊タイプ、頭タイプ、柄タイプ等の千社札の種類の中から１つのタイプの札を選択して大きさの異なる複数のシールを１枚の紙片に印刷することが可能であることを特徴とする。
【０００７】
請求項３の手段は、前記した請求項１において、前記各書式選択画面や文字入力画面に以前に選択あるいは入力文字の変更が可能な戻り操作が行えるようにしたことを特徴とする。
【０００８】
請求項４にあっては、前記複数の国の言語が、日本語、中国語、台湾語、韓国語であることを特徴とする。
【発明の効果】
【０００９】
本発明は、初期画面において複数の国の言語で表現された画面から希望する国の言語表示を選択することで、タッチパネルに選択した国の文字で以降の案内が表示され、また、ナレーションも選択した国の言語でアナウンスされると共に紙片に印刷するための文字入力画面も選択した国の言語に基づくコンピュータ用のキーボード等のその国における標準的な配列の文字で表示されることから、様々な国の人、たとえば、中国語、台湾語、韓国語を母国語とする人でも自国語によるシール等の印刷物を作成することができる。
【００１０】
また、大きさの異なる千社札の複数枚を１枚の紙片に貼着した剥離シール式の千社札の場合にあっては、挿絵タイプ、短冊タイプ、頭タイプ、柄タイプ等の千社札の種類の中から１つのタイプの札を選択することによって、大きさの異なる複数の千社札シールを１枚の紙片に印刷することが可能なので、操作者は同時に大小様々な千社札を得ることができる。
【００１１】
さらに、操作者が選択ミスや文字の入力ミスあるいは、好みが違うと判断した場合には、印刷を開始する以前であれば変更しようとする画面まで戻って操作を行うことで書式も入力文字も変更でき、従って、最終の印刷物として自分の好みのものを得ることができる等の効果を有するものである。
【発明を実施するための最良の形態】
【００１２】
本発明は、多様な図柄以外に、複数の国の文字、音声、文字入力画面が記憶されていることで、複数の国の人が日本国由来の千社札や名刺等の印刷物を作成することができる。
【実施例】
【００１３】
以下、本発明に係る印刷物作成販売機として千社札シールを印刷する販売機とした場合の一実施例を図面と共に説明する。
図１は千社札等の印刷物作成販売機の斜視図であって、筐体１内には図２に示すコンピュータ２が内蔵されており、上面にはタッチパネル式液晶モニターであるタッチパネル３が取付けられ、前面にはコイン投入口４ａから投入されたコインの真偽およびコインの枚数を計数し釣銭がある時には釣銭を排出するコインセレクター４が取付けられている。
【００１４】
また、操作者が操作して出来上がった千社札を印刷するプリンタ５が内蔵され、さらに、図示していないが筐体１の所望個所にスピーカ６が内蔵されている。また、前記筐体１の背面側には起立した状態で広告等の宣伝用のディスプレイ７が取付けられている。なお、８は前記プリンタ５によって印刷された千社札の排出口である。
【００１５】
次に、図２に示した回路ブロック図について説明する。
コンピュータ２は中央処理装置であるＣＰＵ２ａと、図３〜図７に示すフローチャートの処理を行うプログラム、千社札の画像データ、各国語に対応した文字入力用のキーボード画像データ、各国語に対応した音声データ等が記録されたＲＯＭ２ｂおよびＲＡＭ２ｃが内蔵されている。
【００１６】
そして、ＣＰＵ２ａからのバスラインの入力側にはタッチパネル３、コインセレクター４が接続され、出力側にはプリンタ５、スピーカ６およびディスプレイ７が接続されている。
【００１７】
次に、千社札を作成する動作を図３〜図７のフローチャートと共に説明するに、先ず、操作者による操作が開始される以前にはタッチパネル３にはデモ画面が表示されている（ステップＳ１）。そして、この状態において、ディスプレイ７には千社札印刷作成機の案内や操作者に対して興味を抱かせる画像が表示され、かつ、音声によるナレーションがスピーカ６より放音されている。なお、前記画像およびナレーションは日本語および外国語、例えば、韓国語、中国語、台湾語等によって順次切り換えられ表示、放音されている。
【００１８】
この状態においてＣＰＵ２ａはタッチパネル３に操作者がタッチしたか否かの監視を行い（ステップＳ２）、タッチしたことを検出すると日本語あるいは前記した他国語で操作するかの選択を行うための言語選択画面をタッチパネル３において表示する（ステップＳ３）。そして、ＣＰＵ２ａはどの国の言語にタッチしたか否かの監視を行い（ステップＳ４）、例えば、日本語を選択したとするとＣＰＵ２ａは日本語が選択されたとして以降の画面表示を日本語に選択する（ステップＳ５）と共にナレーションを日本語に選択する（ステップＳ６）。
【００１９】
次に、料金○○○円を投入しなさいとの料金投入画面が表示され料金投入を促し（ステップＳ７）、ＣＰＵ２ａはコインが投入されたか否かの監視を行い（ステップＳ８）、操作者がコインをコインセレクター４の投入口から投入すると、該コインセレクター４がコインまたは紙幣の真偽を確認して釣銭が発生した場合には釣銭を排出口から出す動作を行って、次のステップであるタッチパネル３に複数の種類の日本語千社札（本実施例では４個）の中から１つの千社札のタイプを選択するための日本語札選択画面が表示される（ステップＳ９）。
【００２０】
そして、ＣＰＵ２ｂは前記４個の何れの千社札を選択したか否かを監視し（ステップＳ１０）、ここで、操作者が４個の千社札から１つを選択してタッチすると図４〜図７のステップに移行する。なお、本実施例における千社札としては「挿絵千社札」（Ａ）、「短冊千社札」（Ｂ）、「頭千社札」（Ｃ）、「柄千社札」（Ｄ）が表示されているので、この４個の千社札から何れかの１個を選択することになる。
【００２１】
ここで、挿絵千社札とは図８（ａ）に示すものであり、以下、同様に短冊千社札は図８（ｂ）、頭千社札は図８（ｃ）、柄千社札は図８（ｄ）（ｅ）に示すものであり、それぞれの図柄が異なっていることから以降の操作方法は異なることになる。
【００２２】
先ず、操作者が挿絵千社札を作成することを望み挿絵千社札Ａをタッチした場合には、図４に示すフローチャートに移行する。
前記した挿絵千社札が選択された場合には、挿絵（図８（ａ）の波図柄参照）が多種多様配列した挿絵の選択画面が表示され（ステップＳＡ１）、ＣＰＵ２ａは多数の挿絵の中から操作者が挿絵を選択したか否かを監視し（ステップＳＡ２）、挿絵の中から希望する挿絵が選択されると、次の地紋選択画面（ステップＳＡ５）を表示する。
【００２３】
前記ステップＳＡ２において操作者が挿絵ではなく家紋を挿絵部分に表示したいと思う場合には、前記挿絵選択画面の右上隅に表示されている家紋移行ボタンにタッチすると多種多様の家紋が配列した家紋選択画面が表示される（ステップＳＡ３）。そして、この画面の状態においてＣＰＵ２ａは家紋が選択されたか否かを監視し（ステップＳＡ４）、家紋の中から希望する家紋が選択されると前記した地紋選択画面（ステップＳＡ５）に進む。
【００２４】
ここで、地紋とは前記挿絵の下側に印刷される模様であり、多種多様の地紋が表示され、ＣＰＵ２ａはどの地紋が選択されたか否かを監視する（ステップＳＡ６）。地紋が選択されたとＣＰＵ２ａが判断すると千社札に挿入する氏名等の文字を入力するための文字入力画面を表示する（ステップＳＡ７）。この文字入力画面は、ワードプロセッサーでのひらがな入力と同様に、ひらがな文字を選択して漢字変換を行う。つまり、ひらがな、濁音マーク、半濁音マーク、一字開け、１文字削除、文字変換した漢字の候補選択、戻り等のキー画像がタッチパネル上に表示されている。なお、本実施例以外の外国言語での文字入力の場合も同様であり、例えば中国語であれば発音をアルファベットで入力して中国漢字に変換することになる。
【００２５】
そして、ＣＰＵ２ａはこの文字入力画面における文字入力が終了したか否かの監視を行い（ステップＳＡ８）、文字入力が終了した（図８ａにあっては、氏名である「千社太郎」が入力された）と判断すると、この「千社太郎」の書体をどのように表現するかのフォント選択画面を表示する（ステップＳＡ９）。このフォント選択画面では相撲文字や歌舞伎文字等の千社札に適した各種の書体がタッチパネル上に表示される。この表示においてＣＰＵ２ａはフォントの選択が終了したか否かの監視し（ステップＳＡ１０）、フォントの選択が終了したと判断すると差し札文字選択画面を表示する（ステップＳＡ１１）。
【００２６】
この差し札画面は「家内安全」「入学祈願」「商売繁盛」「必勝祈願」等の定形的な文字や熟語等の文字が記載される短冊札である。そして、ＣＰＵ２ａは多数の差し札の文字の中から操作者が選択したか否かを監視し（ステップＳＡ１２）、差し札の文字の中から希望する文字が選択されたと判断すると、次のステップである印刷見本画面（ステップＳＡ１５）を表示する。
【００２７】
前記ステップＳＡ１２において操作者が例示された定型的な文字以外の文字を表示したいと思う場合には、前記差し札文字選択画面の右上隅に表示されている文字選択移行ボタンにタッチすると文字入力画面が表示される（ステップＳＡ１３）。操作者は前記氏名等の文字入力と同様な方法によって、差し札に組み込みたい文字を入力する。そして、この文字入力画面の状態においてＣＰＵ２ａは文字が入力されたか否かを監視し（ステップＳＡ１４）、文字の入力が終了したと判断すると、前記した印刷画面が表示される（ステップＳＡ１５）。
【００２８】
このステップＳＡ１５において、ＣＰＵ２ａは印刷指示が行われたか否かの監視を行い（ステップＳＡ１６）、ここで、操作者がこの画面の画像で良いと判断した場合には印刷の文字をタッチすることで、プリンタ５によるカラー印刷が開始され（ステップＳＡ１７）、例えば、図９に示す剥離シール千社札の印刷が行われ、印刷が終了すると排出口８より千社札シールが排出され、千社札作成印刷の全操作は終了する。
【００２９】
もし、印刷見本画面の画像を修正したいと思った場合には、各タッチパネルに表示されている戻る文字をタッチして修正したいと思っている画面まで戻り修正して、前記操作を繰り返し行って印刷見本画面まで戻ることで印刷を開始することが可能となる。
【００３０】
次に、前記した図３における千社札（図８ｂ参照）の選択において短冊千社札Ｂを選択した場合の作成方法を図５と共に説明する。
短冊千社札を選択するとタッチパネル３に複数種類の短冊が表示されると共に短冊の位置を選択する画面、つまり、短冊を斜め上（図８ａ参照）、縦左上、斜め下等の選択画面が表示される（ステップＳＢ１）。そして、ＣＰＵ２ａは短冊の種類と短冊の位置が選択されたか否かの監視を行い（ステップＳＢ２）、操作者が選択したと判断すると地紋選択画面（ステップＳＢ３）を表示する。
【００３１】
この地紋とは千社札全体に印刷される下地的な絵柄であって、複数の絵柄が用意されている。それらの多種の地紋が表示されるとＣＰＵ２ａは前記した複数種類から地紋が選択されたか否かの監視を行い（ステップＳＢ４）、地紋が選択されたと判断すると、前記短冊に記入する氏名等の文字を入力するための図４の実施例と同じ文字入力画面を表示する（ステップＳＢ５）。そして、ＣＰＵ２ａは氏名等の文字が入力されたか否かを監視し（ステップＳＢ６）、文字が入力されたと判断すると前記した挿絵千社札と同様にフォント選択画面が表示される（ステップＳＢ７）。
【００３２】
そして、希望するフォントを選択すると（ステップＳＢ８）、図８（ｂ）のような構成済みの短冊千社札の画面である印刷見本画面が表示される（ステップＳＢ９）。そこで、操作者がこの印刷見本画面で良いと判断した場合には印刷指示（ステップＳＢ１０）を行うことで印刷が開始される（ステップＳＢ１１）。また、修正を行う場合には修正を希望するステップまで戻り修正を行い印刷指示を行うことで希望する短冊千社札を作成することができる。
【００３３】
次に、前記した図３における千社札（図８ｃ参照）の選択において頭千社札Ｃを選択した場合の作成方法を図６と共に説明する。
頭千社札を選択するとタッチパネル３に「日本」「一攫千金」「七転八起」等の定形的な頭文字が表示される（ステップＳＣ１）。そして、ＣＰＵ２ａは列挙した頭文字の中から操作者が希望する頭文字を選択したか否かを監視し（ステップＳＣ２）、選択されたと判断すると地紋選択画面を表示する（ステップＳＣ５）。
【００３４】
前記ステップＳＡ２において操作者が定形的な頭文字ではなく操作者の気に入った頭文字を表示したいと思う場合には、前記頭文字選択画面の右上隅に表示されている文字選択移行ボタンにタッチすると頭文字入力画面が表示される（ステップＳＣ３）。そして、この文字入力画面の状態においてＣＰＵ２ａは文字が入力されたか否かを監視し（ステップＳＣ４）、文字の入力が終了したと判断すると、前記した地紋選択画面が表示される（ステップＳＣ５）。
【００３５】
そして、ＣＰＵ２ａは複数種類から地紋が選択されたか否かの監視を行い（ステップＳＣ６）、地紋が選択されたと判断すると、この千社札に挿入する氏名等の文字を入力するための図４の実施例と同じ文字入力画面を表示する（ステップＳＣ７）。そして、ＣＰＵ２ａは氏名等の文字が入力されたか否かを監視し（ステップＳＣ８）、文字（図８ｃにあっては必勝祈願）が入力されたと判断すると、この「必勝祈願」の表現書体を選択するフォント選択画面を表示する（ステップＳＣ９）。この表示においてＣＰＵ２ａはフォントの選択が終了したか否かの監視し（ステップＳＣ１０）、フォントの選択が終了したと判断すると差し札文字選択画面を表示する（ステップＳＣ１１）。
【００３６】
この差し札画面は「家内安全」「入学祈願」「商売繁盛」「必勝祈願」等の定型的な文字や熟語等の文字が記載された札である。そして、ＣＰＵ２ａは多数の差し札の文字の中から操作者が選択したか否かを監視し（ステップＳＣ１２）、差し札の文字の中から定型的な文字が選択されたと判断すると、次のステップである印刷見本画面（ステップＳＣ１５）を表示する。
【００３７】
前記ステップＳＣ１２において操作者が差し札の部分に前記定型的な文字以外の文字を表示したいと思う場合には、前記差し札文字選択画面の右上隅に表示されている文字選択移行ボタンタッチすると差し札への文字入力画面が表示される（ステップＳＣ１３）。そして、この文字入力画面の状態においてＣＰＵ２ａは文字が入力されたか否かを監視し（ステップＳＣ１４）、文字の入力が終了したと判断すると、前記した印刷画面が表示される（ステップＳＣ１５）。
【００３８】
このステップＳＣ１５において、ＣＰＵ２ａは印刷指示が行われたか否かの監視を行い（ステップＳＣ１６）、ここで、操作者がこの画面の画像で良いと判断した場合には印刷の文字をタッチすることで、印刷が開始される（ステップＳＣ１７）。
【００３９】
もし、印刷見本画面の画像を修正したいと思った場合には、各タッチパネルに表示されている戻る文字をタッチして修正したいと思っている画面まで戻り修正して、前記操作を繰り返し行って印刷見本画面まで戻ることで印刷を開始することが可能となる。
【００４０】
次に、前記した図３における千社札（図８ｄ，ｅ参照）の選択において柄千社札Ｄを選択した場合の作成方法を図５と共に説明する。
柄千社札を選択するとタッチパネル３に複数種類の地紋が表示された縦柄の千社札（図８ｄ参照）の選択画面が表示される（ステップＳＤ１）。そして、ＣＰＵ２ａは地紋縦柄の何れかが選択されたか否かの監視を行い（ステップＳＤ２）、操作者が何れかを選択したと判断すると文字入力画面（ステップＳＤ５）を表示する。
【００４１】
前記ステップＳＡ２において操作者が地紋縦柄ではなく地紋横柄（図８ｅ参照）にしたいと思う場合には、前記地紋縦柄選択画面の右上隅に表示されている地紋縦柄画面移行ボタンにタッチすると地紋縦柄選択画面に変わって地紋横柄選択画面が表示される（ステップＳＤ３）。そして、この画面の状態においてＣＰＵ２ａは地紋横柄が選択されたか否かを監視し（ステップＳＤ４）、地紋横柄の中から希望する地紋横柄が選択されたと判断すると前記した文字入力画面（ステップＳＤ５）に進む。
【００４２】
次いで、ＣＰＵ２ａは文字入力画面において氏名等の文字が入力されたか否かの監視を行い（ステップＳＤ６）、文字が入力されたと判断するとフォント画面を表示する（ステップＳＤ７）。そして、希望するフォントを選択すると（ステップＳＤ８）、印刷見本画面を表示する（ステップＳＤ９）。そこで、ＣＰＵ２ａは印刷指示（ステップＳＤ１０）を行ったか否かを監視し、操作者がこの印刷見本画面で良いと判断し印刷指示を行うと印刷が開始される（ステップＳＢ１１）。また、修正を行う場合には修正を希望するステップまで戻り修正を行い、最終的に印刷指示を行うことで希望する柄千社札を作成することができる。
【００４３】
なお、前記した実施例における挿絵千社札、短冊千社札、頭千社札および柄千社札の記入例は一例を示すものであり、図示した千社札に限定されるものではない。また、本発明のシール印刷販売機は前記した実施例における各種の千社札の印刷以外に名刺やその他のシールを印刷する場合にも応用できることは勿論のことである。
【００４４】
さらに、前記した実施例では図３の言語選択画面において日本語を選択してタッチパネルにおいて日本語文字を表示し、ナレーションを日本語でアナウンスし、かつ、文字入力画面を「ひらがな」文字で表示した場合について説明したが、他国言語を選択した場合には、タッチパネルには選択した国の文字で表示し、ナレーションも選択した国の言語でアナウンスし、かつ、文字入力画面を選択した国における標準的な文字で表示することで、多国語での操作が行えるものである。そして、それぞれの文字、言語や文字入力画面は予めＲＯＭ２ｂに記憶されている。
【図面の簡単な説明】
【００４５】
【図１】本発明に係る千社札等の印刷物作成販売機の外観を示す斜視図である。
【図２】同上の印刷物作成販売機の回路ブロック図である。
【図３】起動時の処理を示すフローチャートである。
【図４】挿絵千社札を作成するためのフローチャートである。
【図５】短冊千社札を作成するためのフローチャートである。
【図６】頭千社札を作成するためのフローチャートである。
【図７】柄千社札を作成するためのフローチャートである。
【図８】（ａ）は挿絵千社札の正面図、（ｂ）は短冊千社札の正面図、（ｃ）は頭千社札の正面図、（ｄ）は地紋縦柄千社札の正面図、（ｅ）は地紋横柄千社札の正面図である。
【図９】挿絵千社札を印刷したシールの正面図である。
【符号の説明】
【００４６】
１          筐体
２          コンピュータ
２ａ        ＣＰＵ（中央処理装置）
２ｂ        ＲＯＭ
３          タッチパネル
４          コインセレクタ
５          プリンタ
６          スピーカ
７          ディスプレイ
【図１】
2010005834.tif 000003
【図２】
2010005834.tif 000004
【図３】
2010005834.tif 000005
【図４】
2010005834.tif 000006
【図５】
2010005834.tif 000007
【図６】
2010005834.tif 000008
【図７】
2010005834.tif 000009
【図８】
2010005834.tif 000010
【図９】
2010005834.tif 000011